(57)【要約】【課題】内部統制における業務プロセスの構成となりえる要素について、活動という要素を中心に分類整理できるよう、必要な情報の入力をユーザに促すことができるようにした文書処理装置を提供する。【解決手段】文書処理装置の活動受付手段は、活動の名称と実務内容を含む活動を受け付け、文書作成手段は、前記活動受付手段によって受け付けられた活動に基づいて、業務の流れを記述する業務記述書、業務の流れを視覚的に記述した業務フロー図、想定されるリスクと該リスクに対応する統制活動を示すリスク・コントロール・マトリックス、または担当者と業務との対応を示す職務分離表のいずれか１つ以上の内部統制用の文書を作成する。【選択図】図１
2008052347.tif 000002
【特許請求の範囲】
【請求項１】
活動の名称と実務内容を含む活動を受け付ける活動受付手段と、
前記活動受付手段によって受け付けられた活動に基づいて、業務の流れを記述する業務記述書、業務の流れを視覚的に記述した業務フロー図、想定されるリスクと該リスクに対応する統制活動を示すリスク・コントロール・マトリックス、または担当者と業務との対応を示す職務分離表のいずれか１つ以上の内部統制用の文書を作成する文書作成手段
を具備することを特徴とする文書処理装置。
【請求項２】
活動の識別子、活動の名称および実務内容を対応して記憶する活動記憶手段と、
資源の名称および活動の識別子を対応して記憶する資源記憶手段と、
知識の名称および活動の識別子を対応して記憶する知識記憶手段と、
業務プロセスを表す複数の階層のレベルおよび活動の識別子を対応して記憶する業務記述書記憶手段と、
前記業務記述書記憶手段によって記憶されている業務プロセスと該業務プロセスの担当者を対応して記憶する職務分離記憶手段と、
シンボルの名称、該シンボルの位置に関する情報および活動の識別子を対応して記憶するフロー記憶手段と、
リスクの識別子およびコントロールの識別子を対応して記憶するリスク・コントロール記憶手段と、
前記リスク・コントロール記憶手段によって記憶されているリスクの識別子および活動の識別子を対応して記憶するリスク記憶手段と、
前記リスク・コントロール記憶手段によって記憶されているコントロールの識別子および活動の識別子を対応して記憶するコントロール記憶手段と、
活動の名称と実務内容を含む活動を前記活動記憶手段に活動の識別子を付して記憶させる活動入力手段と、
前記活動記憶手段によって記憶されている活動の識別子に対応する活動の識別子を有している前記資源記憶手段に資源の名称を対応させて記憶させる資源入力手段と、
前記活動記憶手段によって記憶されている活動の識別子に対応する活動の識別子を有している前記知識記憶手段に知識の名称を対応させて記憶させる知識入力手段と、
前記活動記憶手段によって記憶されている活動の識別子に対応する活動の識別子を有している前記業務記述書記憶手段に業務プロセスを表す複数の階層のレベルを対応させて記憶させる業務記述書入力手段と、
前記業務記述書記憶手段によって記憶されている業務プロセスを表すレベルに対応する業務プロセスを有している前記職務分離記憶手段に該業務プロセスの担当者を対応させて記憶させる職務分離入力手段と、
前記活動記憶手段によって記憶されている活動の識別子に対応する活動の識別子を有している前記フロー記憶手段にシンボルの名称および該シンボルの位置に関する情報を対応させて記憶させるフロー入力手段と、
前記リスク・コントロール記憶手段にリスクの識別子およびコントロールの識別子を対応させて記憶させるリスク・コントロール入力手段と、
前記活動記憶手段によって記憶されている活動の識別子に対応する活動の識別子を有している前記リスク記憶手段にリスクの識別子を対応させて記憶させるリスク入力手段と、
前記活動記憶手段によって記憶されている活動の識別子に対応する活動の識別子を有している前記コントロール記憶手段にコントロールの識別子を対応させて記憶させるコントロール入力手段
を具備することを特徴とする文書処理装置。
【請求項３】
活動の識別子、活動の名称および実務内容を対応して記憶する活動記憶手段と、
資源の名称および活動の識別子を対応して記憶する資源記憶手段と、
活動の名称と実務内容を含む活動を前記活動記憶手段に活動の識別子を付して記憶させる活動入力手段と、
前記活動記憶手段によって記憶されている活動の識別子に対応する活動の識別子を有している前記資源記憶手段に資源の名称を対応させて記憶させる資源入力手段
を具備することを特徴とする文書処理装置。
【請求項４】
活動の識別子、活動の名称および実務内容を対応して記憶する活動記憶手段と、
知識の名称および活動の識別子を対応して記憶する知識記憶手段と、
活動の名称と実務内容を含む活動を前記活動記憶手段に活動の識別子を付して記憶させる活動入力手段と、
前記活動記憶手段によって記憶されている活動の識別子に対応する活動の識別子を有している前記知識記憶手段に知識の名称を対応させて記憶させる知識入力手段
を具備することを特徴とする文書処理装置。
【請求項５】
活動の識別子、活動の名称および実務内容を対応して記憶する活動記憶手段と、
業務プロセスを表す複数の階層のレベルおよび活動の識別子を対応して記憶する業務記述書記憶手段と、
活動の名称と実務内容を含む活動を前記活動記憶手段に活動の識別子を付して記憶させる活動入力手段と、
前記活動記憶手段によって記憶されている活動の識別子に対応する活動の識別子を有している前記業務記述書記憶手段に業務プロセスを表す複数の階層のレベルを対応させて記憶させる業務記述書入力手段
を具備することを特徴とする文書処理装置。
【請求項６】
活動の識別子、活動の名称および実務内容を対応して記憶する活動記憶手段と、
業務プロセスを表す複数の階層のレベルおよび活動の識別子を対応して記憶する業務記述書記憶手段と、
前記業務記述書記憶手段によって記憶されている業務プロセスと該業務プロセスの担当者を対応して記憶する職務分離記憶手段と、
活動の名称と実務内容を含む活動を前記活動記憶手段に活動の識別子を付して記憶させる活動入力手段と、
前記活動記憶手段によって記憶されている活動の識別子に対応する活動の識別子を有している前記業務記述書記憶手段に業務プロセスを表す複数の階層のレベルを対応させて記憶させる業務記述書入力手段と、
前記業務記述書記憶手段によって記憶されている業務プロセスを表すレベルに対応する業務プロセスを有している前記職務分離記憶手段に該業務プロセスの担当者を対応させて記憶させる職務分離入力手段
を具備することを特徴とする文書処理装置。
【請求項７】
活動の識別子、活動の名称および実務内容を対応して記憶する活動記憶手段と、
シンボルの名称、該シンボルの位置に関する情報および活動の識別子を対応して記憶するフロー記憶手段と、
活動の名称と実務内容を含む活動を前記活動記憶手段に活動の識別子を付して記憶させる活動入力手段と、
前記活動記憶手段によって記憶されている活動の識別子に対応する活動の識別子を有している前記フロー記憶手段にシンボルの名称および該シンボルの位置に関する情報を対応させて記憶させるフロー入力手段
を具備することを特徴とする文書処理装置。
【請求項８】
活動の識別子、活動の名称および実務内容を対応して記憶する活動記憶手段と、
リスクの識別子およびコントロールの識別子を対応して記憶するリスク・コントロール記憶手段と、
前記リスク・コントロール記憶手段によって記憶されているリスクの識別子および活動の識別子を対応して記憶するリスク記憶手段と、
前記リスク・コントロール記憶手段によって記憶されているコントロールの識別子および活動の識別子を対応して記憶するコントロール記憶手段と、
活動の名称と実務内容を含む活動を前記活動記憶手段に活動の識別子を付して記憶させる活動入力手段と、
前記リスク・コントロール記憶手段にリスクの識別子およびコントロールの識別子を対応させて記憶させるリスク・コントロール入力手段と、
前記活動記憶手段によって記憶されている活動の識別子に対応する活動の識別子を有している前記リスク記憶手段にリスクの識別子を対応させて記憶させるリスク入力手段と、
前記活動記憶手段によって記憶されている活動の識別子に対応する活動の識別子を有している前記コントロール記憶手段にコントロールの識別子を対応させて記憶させるコントロール入力手段
を具備することを特徴とする文書処理装置。
【請求項９】
前記文書作成手段によって内部統制用の文書が作成される際は、該文書の編集が可能である編集可能状態、該文書を登録している承認状態または該文書が取り扱われなくなった廃止状態に応じて、アクセス権限を異ならせる
ことを特徴とする請求項１に記載の文書処理装置。
【請求項１０】
コンピュータに、
活動の名称と実務内容を含む活動を受け付ける活動受付機能と、
前記活動受付機能によって受け付けられた活動に基づいて、業務の流れを記述する業務記述書、業務の流れを視覚的に記述した業務フロー図、想定されるリスクと該リスクに対応する統制活動を示すリスク・コントロール・マトリックス、または担当者と業務との対応を示す職務分離表のいずれか１つ以上の内部統制用の文書を作成する文書作成機能
を実現させることを特徴とする文書処理プログラム。
【請求項１１】
コンピュータに、
活動の識別子、活動の名称および実務内容を対応して記憶する活動記憶機能と、
資源の名称および活動の識別子を対応して記憶する資源記憶機能と、
知識の名称および活動の識別子を対応して記憶する知識記憶機能と、
業務プロセスを表す複数の階層のレベルおよび活動の識別子を対応して記憶する業務記述書記憶機能と、
前記業務記述書記憶機能によって記憶されている業務プロセスと該業務プロセスの担当者を対応して記憶する職務分離記憶機能と、
シンボルの名称、該シンボルの位置に関する情報および活動の識別子を対応して記憶するフロー記憶機能と、
リスクの識別子およびコントロールの識別子を対応して記憶するリスク・コントロール記憶機能と、
前記リスク・コントロール記憶機能によって記憶されているリスクの識別子および活動の識別子を対応して記憶するリスク記憶機能と、
前記リスク・コントロール記憶機能によって記憶されているコントロールの識別子および活動の識別子を対応して記憶するコントロール記憶機能と、
活動の名称と実務内容を含む活動を前記活動記憶機能に活動の識別子を付して記憶させる活動入力機能と、
前記活動記憶機能によって記憶されている活動の識別子に対応する活動の識別子を有している前記資源記憶機能に資源の名称を対応させて記憶させる資源入力機能と、
前記活動記憶機能によって記憶されている活動の識別子に対応する活動の識別子を有している前記知識記憶機能に知識の名称を対応させて記憶させる知識入力機能と、
前記活動記憶機能によって記憶されている活動の識別子に対応する活動の識別子を有している前記業務記述書記憶機能に業務プロセスを表す複数の階層のレベルを対応させて記憶させる業務記述書入力機能と、
前記業務記述書記憶機能によって記憶されている業務プロセスを表すレベルに対応する業務プロセスを有している前記職務分離記憶機能に該業務プロセスの担当者を対応させて記憶させる職務分離入力機能と、
前記活動記憶機能によって記憶されている活動の識別子に対応する活動の識別子を有している前記フロー記憶機能にシンボルの名称および該シンボルの位置に関する情報を対応させて記憶させるフロー入力機能と、
前記リスク・コントロール記憶機能にリスクの識別子およびコントロールの識別子を対応させて記憶させるリスク・コントロール入力機能と、
前記活動記憶機能によって記憶されている活動の識別子に対応する活動の識別子を有している前記リスク記憶機能にリスクの識別子を対応させて記憶させるリスク入力機能と、
前記活動記憶機能によって記憶されている活動の識別子に対応する活動の識別子を有している前記コントロール記憶機能にコントロールの識別子を対応させて記憶させるコントロール入力機能
を実現させることを特徴とする文書処理プログラム。
【請求項１２】
コンピュータに、
活動の識別子、活動の名称および実務内容を対応して記憶する活動記憶機能と、
資源の名称および活動の識別子を対応して記憶する資源記憶機能と、
活動の名称と実務内容を含む活動を前記活動記憶機能に活動の識別子を付して記憶させる活動入力機能と、
前記活動記憶機能によって記憶されている活動の識別子に対応する活動の識別子を有している前記資源記憶機能に資源の名称を対応させて記憶させる資源入力機能
を実現させることを特徴とする文書処理プログラム。
【請求項１３】
コンピュータに、
活動の識別子、活動の名称および実務内容を対応して記憶する活動記憶機能と、
知識の名称および活動の識別子を対応して記憶する知識記憶機能と、
活動の名称と実務内容を含む活動を前記活動記憶機能に活動の識別子を付して記憶させる活動入力機能と、
前記活動記憶機能によって記憶されている活動の識別子に対応する活動の識別子を有している前記知識記憶機能に知識の名称を対応させて記憶させる知識入力機能
を実現させることを特徴とする文書処理プログラム。
【請求項１４】
コンピュータに、
活動の識別子、活動の名称および実務内容を対応して記憶する活動記憶機能と、
業務プロセスを表す複数の階層のレベルおよび活動の識別子を対応して記憶する業務記述書記憶機能と、
活動の名称と実務内容を含む活動を前記活動記憶機能に活動の識別子を付して記憶させる活動入力機能と、
前記活動記憶機能によって記憶されている活動の識別子に対応する活動の識別子を有している前記業務記述書記憶機能に業務プロセスを表す複数の階層のレベルを対応させて記憶させる業務記述書入力機能
を実現させることを特徴とする文書処理プログラム。
【請求項１５】
コンピュータに、
活動の識別子、活動の名称および実務内容を対応して記憶する活動記憶機能と、
業務プロセスを表す複数の階層のレベルおよび活動の識別子を対応して記憶する業務記述書記憶機能と、
前記業務記述書記憶機能によって記憶されている業務プロセスと該業務プロセスの担当者を対応して記憶する職務分離記憶機能と、
活動の名称と実務内容を含む活動を前記活動記憶機能に活動の識別子を付して記憶させる活動入力機能と、
前記活動記憶機能によって記憶されている活動の識別子に対応する活動の識別子を有している前記業務記述書記憶機能に業務プロセスを表す複数の階層のレベルを対応させて記憶させる業務記述書入力機能と、
前記業務記述書記憶機能によって記憶されている業務プロセスを表すレベルに対応する業務プロセスを有している前記職務分離記憶機能に該業務プロセスの担当者を対応させて記憶させる職務分離入力機能
を実現させることを特徴とする文書処理プログラム。
【請求項１６】
コンピュータに、
活動の識別子、活動の名称および実務内容を対応して記憶する活動記憶機能と、
シンボルの名称、該シンボルの位置に関する情報および活動の識別子を対応して記憶するフロー記憶機能と、
活動の名称と実務内容を含む活動を前記活動記憶機能に活動の識別子を付して記憶させる活動入力機能と、
前記活動記憶機能によって記憶されている活動の識別子に対応する活動の識別子を有している前記フロー記憶機能にシンボルの名称および該シンボルの位置に関する情報を対応させて記憶させるフロー入力機能
を実現させることを特徴とする文書処理プログラム。
【請求項１７】
コンピュータに、
活動の識別子、活動の名称および実務内容を対応して記憶する活動記憶機能と、
リスクの識別子およびコントロールの識別子を対応して記憶しているリスク・コントロール記憶機能と、
前記リスク・コントロール記憶機能によって記憶されているリスクの識別子および活動の識別子を対応して記憶するリスク記憶機能と、
前記リスク・コントロール記憶機能によって記憶されているコントロールの識別子および活動の識別子を対応して記憶するコントロール記憶機能と、
活動の名称と実務内容を含む活動を前記活動記憶機能に活動の識別子を付して記憶させる活動入力機能と、
前記リスク・コントロール記憶機能にリスクの識別子およびコントロールの識別子を対応させて記憶させるリスク・コントロール入力機能と、
前記活動記憶機能によって記憶されている活動の識別子に対応する活動の識別子を有している前記リスク記憶機能にリスクの識別子を対応させて記憶させるリスク入力機能と、
前記活動記憶機能によって記憶されている活動の識別子に対応する活動の識別子を有している前記コントロール記憶機能にコントロールの識別子を対応させて記憶させるコントロール入力機能
を実現させることを特徴とする文書処理プログラム。
【請求項１８】
前記文書作成機能によって内部統制用の文書が作成される際は、該文書の編集が可能である編集可能状態、該文書を登録している承認状態または該文書が取り扱われなくなった廃止状態に応じて、アクセス権限を異ならせる
ことを特徴とする請求項１０に記載の文書処理プログラム。
【発明の詳細な説明】
【技術分野】
【０００１】
本発明は、文書処理装置および文書処理プログラムに関する。
【背景技術】
【０００２】
近年、財務内部統制が求められている。その財務内部統制とは、１９９２年にＣＯＳＯ（トレッドウェイ委員会組織委員会）が発表した「内部統制−統合的枠組み」が、事実上の標準となっており、「（１）業務の有効性・効率性、（２）財務諸表の信頼性、（３）関連法規の遵守の３つの目的を達成するために、合理的な保証を提供することを意図した、取締役会、経営者およびその他の職員によって遂行される一つのプロセス」と定義されている。
財務内部統制において、活動／システム／資源／知識情報などの関係を整理して業務プロセスを文書化し、その文書を活用するための仕組みを構築することは人手で運用管理するには多大な労力がかかっていた。財務内部統制の文書としては、業務記述書、業務フロー図、ＲＣＭ（リスク・コントロール・マトリックス）、職務分離表の４文書がある。
財務内部統制の文書化作業は数十人の単位で行われるが、それぞれが４文書を個別に書こうとしても、漏れなく・レベル（粒度）を揃え・齟齬が出ないように書くのは難作業であった。
【０００３】
業務プロセスを表現する業務記述書（テキストの文章タイプのドキュメント）とフロー図の２つの文書では、同じ人間が同じプロセスを表現したはずの業務記述書とフロー図が、個々の要素の記述において対応がとれておらず、漏れやレベルの違いが発生していた。
以上のように品質にばらつきのある文書を作成してしまうと、適切な業務上のリスクの発見を見落としたり、また財務内部統制の次のステップのテストフェーズでのテスト項目においてばらつきが発生してしまう。その結果、監査を通るレベルとするためには、ばらつきを合わせるための手作業による戻り作業が発生してしまう。
業務記述書とフロー図の関係だけでなく、ＲＣＭ、職務分離表といった内部統制を推進するために作成が必要な文書に記載する内容は、個々に関連性があり、例えばそれぞれ関連ある部分を修正したときに、別の文書をその都度修正することは労力がかかり、実質修正できずに文書間の齟齬が発生していた。
また、業務プロセスの文書化作業を継続実施していった場合、文書化プロセス（文書化作業）をそのときの状態（編集中／承認済み／廃棄など）遷移が運用の中で発生するが、その状態に応じてそれぞれの文書へのアクセス制限を一元管理することがこれまでできなかった。
【０００４】
これらに関する技術として、例えば、特許文献１には、夫々の業務フローにおける再利用化と品質の均一化の向上を図ることを課題とし、業務条件を取得した業務フロー作成処理機能を有する制御装置に、取得した業務条件に対応する業務階層を、その業務条件と業務階層の対応関係を表す業務条件管理テーブルから取得させ、取得した業務階層に対応する業務フロー図を特定するＩＤを、その業務階層と業務フロー図ＩＤとの対応関係を表す業務フロー階層テーブルから取得させ、そして、取得した業務フロー図ＩＤにより特定される業務フロー図を予め設けてある種々の業務フロー図の中から収集させて、前記取得した業務条件に該当する業務フロー図の業務フローを作成させることが開示されている。
また、例えば、特許文献２には、業務支援システムに係る業務フローデータの意味論的正しさを検証するのに好適な検証方法および検証システムを提供することを課題とし、業務フローデータ検証方法は、支援対象の業務を構成する複数の業務項目と、各業務項目の実施要因となる事象と、事象の組合せによって規定される実施条件からなる業務フローデータの記述内容を表示画面に表示し、当該記述内容の正当性について例えば業務の流れについて熟知しているユーザの承認を求めることにより、業務フローデータの意味論的正しさを検証することができることが開示されている。
【特許文献１】特開２００３−１９６４３５号公報
【特許文献２】特開２００３−２５６６３３号公報
【発明の開示】
【発明が解決しようとする課題】
【０００５】
本発明は、このような背景技術の状況の中でなされたもので、内部統制における業務プロセスの構成となりえる要素について、活動という要素を中心に分類整理できるよう、必要な情報の入力をユーザに促すことができるようにした文書処理装置および文書処理プログラムを提供することを目的としている。
【課題を解決するための手段】
【０００６】
かかる目的を達成するための本発明の要旨とするところは、次の各項の発明に存する。
［１］  活動の名称と実務内容を含む活動を受け付ける活動受付手段と、
前記活動受付手段によって受け付けられた活動に基づいて、業務の流れを記述する業務記述書、業務の流れを視覚的に記述した業務フロー図、想定されるリスクと該リスクに対応する統制活動を示すリスク・コントロール・マトリックス、または担当者と業務との対応を示す職務分離表のいずれか１つ以上の内部統制用の文書を作成する文書作成手段
を具備することを特徴とする文書処理装置。
【０００７】
［２］  活動の識別子、活動の名称および実務内容を対応して記憶する活動記憶手段と、
資源の名称および活動の識別子を対応して記憶する資源記憶手段と、
知識の名称および活動の識別子を対応して記憶する知識記憶手段と、
業務プロセスを表す複数の階層のレベルおよび活動の識別子を対応して記憶する業務記述書記憶手段と、
前記業務記述書記憶手段によって記憶されている業務プロセスと該業務プロセスの担当者を対応して記憶する職務分離記憶手段と、
シンボルの名称、該シンボルの位置に関する情報および活動の識別子を対応して記憶するフロー記憶手段と、
リスクの識別子およびコントロールの識別子を対応して記憶するリスク・コントロール記憶手段と、
前記リスク・コントロール記憶手段によって記憶されているリスクの識別子および活動の識別子を対応して記憶するリスク記憶手段と、
前記リスク・コントロール記憶手段によって記憶されているコントロールの識別子および活動の識別子を対応して記憶するコントロール記憶手段と、
活動の名称と実務内容を含む活動を前記活動記憶手段に活動の識別子を付して記憶させる活動入力手段と、
前記活動記憶手段によって記憶されている活動の識別子に対応する活動の識別子を有している前記資源記憶手段に資源の名称を対応させて記憶させる資源入力手段と、
前記活動記憶手段によって記憶されている活動の識別子に対応する活動の識別子を有している前記知識記憶手段に知識の名称を対応させて記憶させる知識入力手段と、
前記活動記憶手段によって記憶されている活動の識別子に対応する活動の識別子を有している前記業務記述書記憶手段に業務プロセスを表す複数の階層のレベルを対応させて記憶させる業務記述書入力手段と、
前記業務記述書記憶手段によって記憶されている業務プロセスを表すレベルに対応する業務プロセスを有している前記職務分離記憶手段に該業務プロセスの担当者を対応させて記憶させる職務分離入力手段と、
前記活動記憶手段によって記憶されている活動の識別子に対応する活動の識別子を有している前記フロー記憶手段にシンボルの名称および該シンボルの位置に関する情報を対応させて記憶させるフロー入力手段と、
前記リスク・コントロール記憶手段にリスクの識別子およびコントロールの識別子を対応させて記憶させるリスク・コントロール入力手段と、
前記活動記憶手段によって記憶されている活動の識別子に対応する活動の識別子を有している前記リスク記憶手段にリスクの識別子を対応させて記憶させるリスク入力手段と、
前記活動記憶手段によって記憶されている活動の識別子に対応する活動の識別子を有している前記コントロール記憶手段にコントロールの識別子を対応させて記憶させるコントロール入力手段
を具備することを特徴とする文書処理装置。
【０００８】
［３］  活動の識別子、活動の名称および実務内容を対応して記憶する活動記憶手段と、
資源の名称および活動の識別子を対応して記憶する資源記憶手段と、
活動の名称と実務内容を含む活動を前記活動記憶手段に活動の識別子を付して記憶させる活動入力手段と、
前記活動記憶手段によって記憶されている活動の識別子に対応する活動の識別子を有している前記資源記憶手段に資源の名称を対応させて記憶させる資源入力手段
を具備することを特徴とする文書処理装置。
【０００９】
［４］  活動の識別子、活動の名称および実務内容を対応して記憶する活動記憶手段と、
知識の名称および活動の識別子を対応して記憶する知識記憶手段と、
活動の名称と実務内容を含む活動を前記活動記憶手段に活動の識別子を付して記憶させる活動入力手段と、
前記活動記憶手段によって記憶されている活動の識別子に対応する活動の識別子を有している前記知識記憶手段に知識の名称を対応させて記憶させる知識入力手段
を具備することを特徴とする文書処理装置。
【００１０】
［５］  活動の識別子、活動の名称および実務内容を対応して記憶する活動記憶手段と、
業務プロセスを表す複数の階層のレベルおよび活動の識別子を対応して記憶する業務記述書記憶手段と、
活動の名称と実務内容を含む活動を前記活動記憶手段に活動の識別子を付して記憶させる活動入力手段と、
前記活動記憶手段によって記憶されている活動の識別子に対応する活動の識別子を有している前記業務記述書記憶手段に業務プロセスを表す複数の階層のレベルを対応させて記憶させる業務記述書入力手段
を具備することを特徴とする文書処理装置。
【００１１】
［６］  活動の識別子、活動の名称および実務内容を対応して記憶する活動記憶手段と、
業務プロセスを表す複数の階層のレベルおよび活動の識別子を対応して記憶する業務記述書記憶手段と、
前記業務記述書記憶手段によって記憶されている業務プロセスと該業務プロセスの担当者を対応して記憶する職務分離記憶手段と、
活動の名称と実務内容を含む活動を前記活動記憶手段に活動の識別子を付して記憶させる活動入力手段と、
前記活動記憶手段によって記憶されている活動の識別子に対応する活動の識別子を有している前記業務記述書記憶手段に業務プロセスを表す複数の階層のレベルを対応させて記憶させる業務記述書入力手段と、
前記業務記述書記憶手段によって記憶されている業務プロセスを表すレベルに対応する業務プロセスを有している前記職務分離記憶手段に該業務プロセスの担当者を対応させて記憶させる職務分離入力手段
を具備することを特徴とする文書処理装置。
【００１２】
［７］  活動の識別子、活動の名称および実務内容を対応して記憶する活動記憶手段と、
シンボルの名称、該シンボルの位置に関する情報および活動の識別子を対応して記憶するフロー記憶手段と、
活動の名称と実務内容を含む活動を前記活動記憶手段に活動の識別子を付して記憶させる活動入力手段と、
前記活動記憶手段によって記憶されている活動の識別子に対応する活動の識別子を有している前記フロー記憶手段にシンボルの名称および該シンボルの位置に関する情報を対応させて記憶させるフロー入力手段
を具備することを特徴とする文書処理装置。
【００１３】
［８］  活動の識別子、活動の名称および実務内容を対応して記憶する活動記憶手段と、
リスクの識別子およびコントロールの識別子を対応して記憶するリスク・コントロール記憶手段と、
前記リスク・コントロール記憶手段によって記憶されているリスクの識別子および活動の識別子を対応して記憶するリスク記憶手段と、
前記リスク・コントロール記憶手段によって記憶されているコントロールの識別子および活動の識別子を対応して記憶するコントロール記憶手段と、
活動の名称と実務内容を含む活動を前記活動記憶手段に活動の識別子を付して記憶させる活動入力手段と、
前記リスク・コントロール記憶手段にリスクの識別子およびコントロールの識別子を対応させて記憶させるリスク・コントロール入力手段と、
前記活動記憶手段によって記憶されている活動の識別子に対応する活動の識別子を有している前記リスク記憶手段にリスクの識別子を対応させて記憶させるリスク入力手段と、
前記活動記憶手段によって記憶されている活動の識別子に対応する活動の識別子を有している前記コントロール記憶手段にコントロールの識別子を対応させて記憶させるコントロール入力手段
を具備することを特徴とする文書処理装置。
【００１４】
［９］  前記文書作成手段によって内部統制用の文書が作成される際は、該文書の編集が可能である編集可能状態、該文書を登録している承認状態または該文書が取り扱われなくなった廃止状態に応じて、アクセス権限を異ならせる
ことを特徴とする［１］に記載の文書処理装置。
【００１５】
［１０］  コンピュータに、
活動の名称と実務内容を含む活動を受け付ける活動受付機能と、
前記活動受付機能によって受け付けられた活動に基づいて、業務の流れを記述する業務記述書、業務の流れを視覚的に記述した業務フロー図、想定されるリスクと該リスクに対応する統制活動を示すリスク・コントロール・マトリックス、または担当者と業務との対応を示す職務分離表のいずれか１つ以上の内部統制用の文書を作成する文書作成機能
を実現させることを特徴とする文書処理プログラム。
【００１６】
［１１］  コンピュータに、
活動の識別子、活動の名称および実務内容を対応して記憶する活動記憶機能と、
資源の名称および活動の識別子を対応して記憶する資源記憶機能と、
知識の名称および活動の識別子を対応して記憶する知識記憶機能と、
業務プロセスを表す複数の階層のレベルおよび活動の識別子を対応して記憶する業務記述書記憶機能と、
前記業務記述書記憶機能によって記憶されている業務プロセスと該業務プロセスの担当者を対応して記憶する職務分離記憶機能と、
シンボルの名称、該シンボルの位置に関する情報および活動の識別子を対応して記憶するフロー記憶機能と、
リスクの識別子およびコントロールの識別子を対応して記憶するリスク・コントロール記憶機能と、
前記リスク・コントロール記憶機能によって記憶されているリスクの識別子および活動の識別子を対応して記憶するリスク記憶機能と、
前記リスク・コントロール記憶機能によって記憶されているコントロールの識別子および活動の識別子を対応して記憶するコントロール記憶機能と、
活動の名称と実務内容を含む活動を前記活動記憶機能に活動の識別子を付して記憶させる活動入力機能と、
前記活動記憶機能によって記憶されている活動の識別子に対応する活動の識別子を有している前記資源記憶機能に資源の名称を対応させて記憶させる資源入力機能と、
前記活動記憶機能によって記憶されている活動の識別子に対応する活動の識別子を有している前記知識記憶機能に知識の名称を対応させて記憶させる知識入力機能と、
前記活動記憶機能によって記憶されている活動の識別子に対応する活動の識別子を有している前記業務記述書記憶機能に業務プロセスを表す複数の階層のレベルを対応させて記憶させる業務記述書入力機能と、
前記業務記述書記憶機能によって記憶されている業務プロセスを表すレベルに対応する業務プロセスを有している前記職務分離記憶機能に該業務プロセスの担当者を対応させて記憶させる職務分離入力機能と、
前記活動記憶機能によって記憶されている活動の識別子に対応する活動の識別子を有している前記フロー記憶機能にシンボルの名称および該シンボルの位置に関する情報を対応させて記憶させるフロー入力機能と、
前記リスク・コントロール記憶機能にリスクの識別子およびコントロールの識別子を対応させて記憶させるリスク・コントロール入力機能と、
前記活動記憶機能によって記憶されている活動の識別子に対応する活動の識別子を有している前記リスク記憶機能にリスクの識別子を対応させて記憶させるリスク入力機能と、
前記活動記憶機能によって記憶されている活動の識別子に対応する活動の識別子を有している前記コントロール記憶機能にコントロールの識別子を対応させて記憶させるコントロール入力機能
を実現させることを特徴とする文書処理プログラム。
【００１７】
［１２］  コンピュータに、
活動の識別子、活動の名称および実務内容を対応して記憶する活動記憶機能と、
資源の名称および活動の識別子を対応して記憶する資源記憶機能と、
活動の名称と実務内容を含む活動を前記活動記憶機能に活動の識別子を付して記憶させる活動入力機能と、
前記活動記憶機能によって記憶されている活動の識別子に対応する活動の識別子を有している前記資源記憶機能に資源の名称を対応させて記憶させる資源入力機能
を実現させることを特徴とする文書処理プログラム。
【００１８】
［１３］  コンピュータに、
活動の識別子、活動の名称および実務内容を対応して記憶する活動記憶機能と、
知識の名称および活動の識別子を対応して記憶する知識記憶機能と、
活動の名称と実務内容を含む活動を前記活動記憶機能に活動の識別子を付して記憶させる活動入力機能と、
前記活動記憶機能によって記憶されている活動の識別子に対応する活動の識別子を有している前記知識記憶機能に知識の名称を対応させて記憶させる知識入力機能
を実現させることを特徴とする文書処理プログラム。
【００１９】
［１４］  コンピュータに、
活動の識別子、活動の名称および実務内容を対応して記憶する活動記憶機能と、
業務プロセスを表す複数の階層のレベルおよび活動の識別子を対応して記憶する業務記述書記憶機能と、
活動の名称と実務内容を含む活動を前記活動記憶機能に活動の識別子を付して記憶させる活動入力機能と、
前記活動記憶機能によって記憶されている活動の識別子に対応する活動の識別子を有している前記業務記述書記憶機能に業務プロセスを表す複数の階層のレベルを対応させて記憶させる業務記述書入力機能
を実現させることを特徴とする文書処理プログラム。
【００２０】
［１５］  コンピュータに、
活動の識別子、活動の名称および実務内容を対応して記憶する活動記憶機能と、
業務プロセスを表す複数の階層のレベルおよび活動の識別子を対応して記憶する業務記述書記憶機能と、
前記業務記述書記憶機能によって記憶されている業務プロセスと該業務プロセスの担当者を対応して記憶する職務分離記憶機能と、
活動の名称と実務内容を含む活動を前記活動記憶機能に活動の識別子を付して記憶させる活動入力機能と、
前記活動記憶機能によって記憶されている活動の識別子に対応する活動の識別子を有している前記業務記述書記憶機能に業務プロセスを表す複数の階層のレベルを対応させて記憶させる業務記述書入力機能と、
前記業務記述書記憶機能によって記憶されている業務プロセスを表すレベルに対応する業務プロセスを有している前記職務分離記憶機能に該業務プロセスの担当者を対応させて記憶させる職務分離入力機能
を実現させることを特徴とする文書処理プログラム。
【００２１】
［１６］  コンピュータに、
活動の識別子、活動の名称および実務内容を対応して記憶する活動記憶機能と、
シンボルの名称、該シンボルの位置に関する情報および活動の識別子を対応して記憶するフロー記憶機能と、
活動の名称と実務内容を含む活動を前記活動記憶機能に活動の識別子を付して記憶させる活動入力機能と、
前記活動記憶機能によって記憶されている活動の識別子に対応する活動の識別子を有している前記フロー記憶機能にシンボルの名称および該シンボルの位置に関する情報を対応させて記憶させるフロー入力機能
を実現させることを特徴とする文書処理プログラム。
【００２２】
［１７］  コンピュータに、
活動の識別子、活動の名称および実務内容を対応して記憶する活動記憶機能と、
リスクの識別子およびコントロールの識別子を対応して記憶しているリスク・コントロール記憶機能と、
前記リスク・コントロール記憶機能によって記憶されているリスクの識別子および活動の識別子を対応して記憶するリスク記憶機能と、
前記リスク・コントロール記憶機能によって記憶されているコントロールの識別子および活動の識別子を対応して記憶するコントロール記憶機能と、
活動の名称と実務内容を含む活動を前記活動記憶機能に活動の識別子を付して記憶させる活動入力機能と、
前記リスク・コントロール記憶機能にリスクの識別子およびコントロールの識別子を対応させて記憶させるリスク・コントロール入力機能と、
前記活動記憶機能によって記憶されている活動の識別子に対応する活動の識別子を有している前記リスク記憶機能にリスクの識別子を対応させて記憶させるリスク入力機能と、
前記活動記憶機能によって記憶されている活動の識別子に対応する活動の識別子を有している前記コントロール記憶機能にコントロールの識別子を対応させて記憶させるコントロール入力機能
を実現させることを特徴とする文書処理プログラム。
【００２３】
［１８］  前記文書作成機能によって内部統制用の文書が作成される際は、該文書の編集が可能である編集可能状態、該文書を登録している承認状態または該文書が取り扱われなくなった廃止状態に応じて、アクセス権限を異ならせる
ことを特徴とする［１０］に記載の文書処理プログラム。
【発明の効果】
【００２４】
本発明にかかる文書処理装置および文書処理プログラムによれば、本構成を有していない場合に比較して、内部統制における業務プロセスの構成となりえる要素について、活動という要素を中心に分類整理できるよう、必要な情報の入力をユーザに促すことができるようになる。
【発明を実施するための最良の形態】
【００２５】
まず、本実施の形態が取り扱う内部統制の「基本４文書」について説明する。
基本４文書とは、財務内部統制の対象となる業務プロセス毎に作成される基本文書のことをいい、具体的には、業務記述書、業務フロー図、ＲＣＭ（リスク・コントロール・マトリックス）、職務分離表がある。
業務記述書とは、ナラティブとも呼ばれる。取引の開始から最終的な総勘定元帳への記帳、報告へ至るまでの一連の業務の流れを文書化したものである。人事規定、経理業務規定などの規定書類は、業務記述書の上位文書であり、その改訂は、業務記述書に影響を与える。また、業務マニュアルは、業務記述書の下位文書であり、その改訂に影響を受ける。
業務フロー図とは、取引の開始から最終的な総勘定元帳への記帳、報告へ至るまでの一連の業務の流れを視覚的にフローチャート化したものである。リスクとコントロールもこのフロー上に配置される。
ＲＣＭ（リスク・コントロール・マトリックス）とは、業務プロセスに関連する内部統制活動について、達成されるべき統制上の要点（アサーション）、想定されるリスク、対応する内部統制活動を一覧表としてまとめたものである。
職務分離表とは、業務プロセスの流れの中で、財務統制上問題となるような、同一の担当者による処理の重複が発生していないかをチェックするためのものである。
なお、アサーションとは、財務情報が信頼性のある情報といえるための前提条件となるものであり、具体的には、実在性、網羅性、評価、権利と義務、期間／配分、表示の６項目が一般には使用されるが、各社また監査法人により一部変更があるため、カスタマイズできることが望ましい。
リスクとは、業務プロセス上で想定されるアサーションに対する阻害要因のことをいう。
コントロールとは、リスクに対する内部統制活動のことをいい、統制のタイプとして、防止的、発見的等がある。
【００２６】
以下、図面に基づき本発明の好適な実施の形態を説明する。
財務内部統制において、活動／システム／資源／知識情報などの関係を整理して業務プロセスを文書化し、その文書を活用するためのシステムを構築している。このシステムは会社単位で構築されているが、関連会社（子会社、親会社等を含む）の間でも１つのシステムが利用されることになる。
図２を用いて、本実施の形態を実現するための財務内部統制のためのシステム全体の構成例を説明する。
システム全体は、クライアント２２０、文書処理サーバー２３０から構成されている。なお、それぞれの構成は複数であってもよい。クライアント２２０と文書処理サーバー２３０の間は、通信回線２５０を介して接続されている。そして、クライアント２２０と文書処理サーバー２３０との間は、ＸＭＬ（ｅＸｔｅｎｓｉｂｌｅ  Ｍａｒｋｕｐ  Ｌａｎｇｕａｇｅ）等を用いてデータを記述し、ＨＴＴＰ（Ｈｙｐｅｒ  Ｔｅｘｔ  Ｔｒａｎｓｆｅｒ  Ｐｒｏｔｏｃｏｌ）等の通信プロトコルを用いて接続されている。
【００２７】
クライアント２２０は、操作者が、メイン画面２２１、編集画面２２２、編集画面２２３を用いるためのユーザインタフェースの機能を有している。例えば、親会社Ａとその子会社Ｂとでそれぞれの操作者がそれぞれのクライアント２２０を操作する。
財務内部統制のための文書を作成するために、クライアント２２０ではメイン画面２２１を表示し、文書を作成するための編集画面２２２等を表示する。編集画面２２２等においては、４種類の統制文書（業務プロセスに関するフローチャート、説明文、リスク・コントロール・マトリックス、職務分離表）を作成したり、その文書等を参照するためのものである。
【００２８】
文書処理サーバー２３０には役割判断モジュール２３１があり、その役割判断モジュール２３１は、クライアント２２０からのアクセスに対して、その操作者が正当な役割（権限）を有する者であるか否かを、ユーザ情報２３２を用いて判断する。
正当な役割を有する者であるならば、統制文書等に対するアクセスをクライアント２２０に対して許可する。編集画面２２３に表示される統制文書の構造は、木構造となっている。つまり、業務は、複数の業務からなり、それは層構造をなしている。統制文書は、この業務に対応して作成するので、統制文書の構造も木構造となる。なお、１つの業務には４種類の統制文書が対応付けられている。そして、この複数の統制文書は、プロジェクト情報２３４に格納されている。
【００２９】
また、統制文書は、共通部品を用いて作成されている。ここで、共通部品には、活動、資源、知識・情報等があり、これらは公開されており、文書を作成する担当者が利用できるようになっている。それぞれ、共通部品である組織は組織ＤＢ２３５、共通部品である資源は資源ＤＢ２３６、共通部品である知識・情報は知識・情報ＤＢ２３７、共通部品である活動は活動ＤＢ２３８、共通部品であるリスクはリスクＤＢ２３９、共通部品であるコントロールはコントロールＤＢ２４０、共通部品であるプロセスはプロセスＤＢ２４１によって格納されている。なお、活動とは、プロセス上で人間により実施される業務行為に関するものをいい、資源とは、システム処理、システムデータ、ＩＴ関連リソースをいい、知識・情報とは、プロセスに関連する文書群であり、例えば、規定集、マニュアルなどがある。
組織ＤＢ２３５には、統制文書を作成している会社の情報（会社名、住所等）、組織情報、ユーザ情報、勘定科目等が格納されている。
また、組織ＤＢ２３５等は、リポジトリ２４２内の関連文書、完成文書を参照する。逆に、組織ＤＢ２３５等内の公開すべき文書を、リポジトリ２４２に格納する。また、リポジトリ２４２内に格納されている文書のうち、監査証跡（帳票等）として用いられるものがある。この監査証跡は、監査人（内部監査人または外部監査人）が監査方針にしたがって、任意の案件の追跡調査等を行うためのものである。
なお、文書処理サーバー２３０は、１つのサーバーで実現されてもよいが、複数のサーバーによって実現されてもよい。例えば、ユーザ情報２３２、リポジトリ２４２を他の文書データベースのサーバーとして実現してもよい。
【００３０】
図１を用いて、本実施の形態の概念的なモジュール構成例を説明する。
なお、モジュールとは、一般的に論理的に分離可能なソフトウェア、ハードウェア等の部品を指す。したがって、本実施の形態におけるモジュールはプログラムにおけるモジュールのことだけでなく、ハードウェア構成におけるモジュールも指す。それゆえ、本実施の形態は、プログラム、装置、システムおよび方法の説明をも兼ねている。また、モジュールは機能にほぼ一対一に対応しているが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散または並列環境におけるコンピュータによって１モジュールが複数コンピュータで実行されてもよい。また、以下、「接続」とは物理的な接続の他、論理的な接続を含む。例えば、データとデータが接続されているとは、データの一部が同一のデータであること、ポインタまたはリンク等で一方が他方を指していること等を表す。
また、システムとは、複数のコンピュータ、ハードウェア、装置等がネットワーク等で接続されて構成されるほか、１つのコンピュータ、ハードウェア、装置等によって実現される場合も含まれる。
【００３１】
業務プロセス構成要素ＤＢ１０内には、図１に示すように、活動データ１１、共有活動データ１３、資源データ１４、共有資源データ１６、知識・情報データ１７、共有知識・情報データ１９、業務記述書データ３１、フロー図データ４１、ＲＣＭデータ５１、職務分離表データ６１が記憶されており、それぞれ別々のデータベースによって管理されていてもよいし、１つのデータベースによって管理されていてもよい。
【００３２】
活動データ１１は、業務記述書データ３１、フロー図データ４１、ＲＣＭデータ５１、職務分離表データ６１、資源データ１４、知識・情報データ１７、共有活動データ１３、活動入力モジュール１２と接続されている。活動入力モジュール１２は活動データ１１と接続されている。共有活動データ１３は活動データ１１と接続されている。資源データ１４は、共有資源データ１６、活動データ１１、資源入力モジュール１５と接続されている。資源入力モジュール１５は資源データ１４と接続されている。共有資源データ１６は資源データ１４と接続されている。知識・情報データ１７は、共有知識・情報データ１９、活動データ１１、知識・情報入力モジュール１８と接続されている。共有知識・情報データ１９は知識・情報データ１７と接続されている。知識・情報入力モジュール１８は知識・情報データ１７と接続されている。業務記述書データ３１は、活動データ１１、業務記述書入力モジュール３２、業務記述書出力モジュール３４と接続されている。フロー図データ４１は、活動データ１１、フロー図入力モジュール４２、フロー図出力モジュール４４と接続されている。ＲＣＭデータ５１は、活動データ１１、ＲＣＭ入力モジュール５２、ＲＣＭ出力モジュール５４と接続されている。職務分離表データ６１は、活動データ１１、職務分離表入力モジュール６２、職務分離表出力モジュール６４と接続されている。
【００３３】
また、共有化モジュール２１は、活動データ１１と共有活動データ１３とを接続しており、活動データ１１内のデータを他の担当者にも使えるように共有化する。共有化によって、共有活動データ１３のデータは他の操作者（担当者）にも公開される。同様に、共有化モジュール２１は、資源データ１４と共有資源データ１６とを接続し、知識・情報データ１７と共有知識・情報データ１９とを接続している。資源データ１４、知識・情報データ１７内のデータを他の担当者にも使えるように共有化する。共有化によって、共有資源データ１６、共有知識・情報データ１９のデータは他の操作者（担当者）にも公開される。つまり、共有活動データ１３、共有資源データ１６、共有知識・情報データ１９内のデータのアクセス権は、他の操作者からも閲覧可能、コピー可能とする。ただし、共有活動データ１３、共有資源データ１６、共有知識・情報データ１９への書き込みは、共有化モジュール２１の操作者のみができるようになっている。
【００３４】
業務プロセス構成要素ＤＢ１０へデータを入力するモジュールとして、業務記述書入力モジュール３２、フロー図入力モジュール４２、ＲＣＭ入力モジュール５２、職務分離表入力モジュール６２がある。業務記述書入力モジュール３２は、業務記述書データ３１、章立て・活動関連付けモジュール３３と接続されている。フロー図入力モジュール４２は、フロー図データ４１と接続されている。ＲＣＭ入力モジュール５２は、ＲＣＭデータ５１、リスク・コントロール・活動関連付けモジュール５３と接続されている。職務分離表入力モジュール６２は、職務分離表データ６１と接続されている。章立て・活動関連付けモジュール３３は、業務記述書入力モジュール３２と接続されている。リスク・コントロール・活動関連付けモジュール５３はＲＣＭ入力モジュール５２と接続されている。
【００３５】
業務プロセス構成要素ＤＢ１０からデータを出力するモジュールとして、業務記述書出力モジュール３４、フロー図出力モジュール４４、ＲＣＭ出力モジュール５４、職務分離表出力モジュール６４がある。業務記述書出力モジュール３４は、業務記述書データ３１と接続されており、業務記述書３０を出力する。フロー図出力モジュール４４は、フロー図データ４１と接続されており、フロー図４０を出力する。ＲＣＭ出力モジュール５４は、ＲＣＭデータ５１と接続されており、ＲＣＭ５０を出力する。職務分離表出力モジュール６４は、職務分離表データ６１と接続されており、職務分離表６０を出力する。
【００３６】
活動データ１１は、内部統制の基本４文書（業務記述書３０、フロー図４０、ＲＣＭ５０、職務分離表６０）を作成するにあたって、元のデータになっている。つまり、活動入力モジュール１２は、操作者（文書の作成者等）からの入力操作によって、活動の名称と実務内容等を含む活動に関する情報を受け付け、活動データ１１に記憶させる。
【００３７】
図３を用いて、業務プロセス構成要素ＤＢ１０内のデータ間の関係例について詳細に説明する。
図３は、活動表１１０、ＩＴ資源表１４０、知識情報表１７０、業務記述書表３１０、職務分離表６１０、フロー表４１０、ＲＣＭ５１０、リスク表５２０、コントロール表５３０の関係を示している。なお、各表の欄は一例を表すものであり、更に、他の情報を格納できるように欄を付加させてもよい。
【００３８】
活動表１１０は、図１の活動データ１１に該当する。活動表１１０は、活動ＩＤ欄１１１、活動名欄１１２、活動タイプ欄１１３、システム名欄１１４、業務区分欄１１５、活動区分欄１１６、担当組織欄１１７、担当者欄１１８、実務内容欄１１９を有している。活動ＩＤ欄１１１が格納する活動ＩＤは、操作者によって入力される活動を一意に識別できる識別子である。また、この活動ＩＤは、業務記述書表３１０の活動ＩＤ欄３１６、ＩＴ資源表１４０の活動ＩＤ欄１４４、知識情報表１７０の活動ＩＤ欄１７４、フロー表４１０の活動ＩＤ欄４１５、リスク表５２０の活動ＩＤ欄５２４、コントロール表５３０の活動ＩＤ欄５３４でも用いられ、それぞれの表が活動表１１０と関係付けられる。
【００３９】
したがって、それぞれの表から、該当する活動を探索することが可能となる。例えば、業務記述書内のあるサブプロセスに含まれる活動を探索するには、そのサブプロセスに対応する活動ＩＤ欄３１６に格納されている活動ＩＤに基づいて、活動表１１０の活動ＩＤ欄１１１を検索し、該当する活動ＩＤに対応する活動名、実務内容等を探索することが可能となる。また、逆に、活動ＩＤからそれぞれの表の項目を探索することも可能である。例えば、ある活動ＩＤに対応するリスクを探索する場合、その活動ＩＤをリスク表５２０の活動ＩＤ欄５２４から検索し、該当する活動ＩＤからリスク名、リスク内容等を探索することが可能である。活動名欄１１２から実務内容欄１１９に格納される情報については、図６を用いて説明する。
【００４０】
ＩＴ資源表１４０は、図１の資源データ１４に該当する。ＩＴ資源表１４０は、ＩＴ資源ＩＤ欄１４１、資源名欄１４２、資源タイプ欄１４３、活動ＩＤ欄１４４を有している。活動ＩＤ欄１４４に格納される活動ＩＤは、活動表１１０の活動ＩＤ欄１１１に格納される活動ＩＤと同様のものであり、ＩＴ資源表１４０を活動表１１０と関連付けるものである。ＩＴ資源ＩＤ欄１４１から資源タイプ欄１４３に格納される情報については、図７を用いて説明する。
【００４１】
知識情報表１７０は、図１の知識・情報データ１７に該当する。知識情報表１７０は、知識ＩＤ欄１７１、知識名欄１７２、知識タイプ欄１７３、活動ＩＤ欄１７４を有している。活動ＩＤ欄１７４に格納される活動ＩＤは、活動表１１０の活動ＩＤ欄１１１に格納される活動ＩＤと同様のものであり、知識情報表１７０を活動表１１０と関連付けるものである。知識ＩＤ欄１７１から知識タイプ欄１７３に格納される情報については、図８を用いて説明する。
【００４２】
業務記述書表３１０は、図１の業務記述書データ３１に該当する。業務記述書表３１０に基づいて、業務記述書が作成される。業務記述書表３１０は、サブプロセス欄３１１、サブステップ欄３１２、業務ステップ欄３１３、段１欄３１４、段２欄３１５、活動ＩＤ欄３１６を有している。活動ＩＤ欄３１６に格納される活動ＩＤは、活動表１１０の活動ＩＤ欄１１１に格納される活動ＩＤと同様のものであり、業務記述書表３１０を活動表１１０と関連付けるものである。
【００４３】
業務記述書の業務プロセスを表す階層を５階層レベルまで詳細化させている。つまり、詳細化するレベルを５階層に標準化することでレベル合わせを行っている。サブプロセス、サブステップ等は、業務記述書の作成者によって、任意に決定されるものであるが、５階層と決定することによって、作成者が複数人であったとしても、その粒度（１つのサブプロセス等にまとめる際のその大きさ）が一定となる。
サブプロセス欄３１１に格納されるサブプロセスは、その５階層のうちの最上層である。
サブステップ欄３１２に格納されるサブステップは、サブプロセスの下位である。
業務ステップ欄３１３に格納される業務ステップは、サブステップの下位である。
段１欄３１４に格納される段１は、業務ステップの下位である。
段２欄３１５に格納される段２は、段１の下位であり、５階層のうち最下層であるが、複数の活動ＩＤを含む場合がある。
【００４４】
職務分離表６１０は、図１の職務分離表データ６１に該当する。職務分離表６１０に基づいて、職務分離表が作成される。職務分離表６１０は、サブプロセス欄６１１、業務ステップ欄６１２、承認者欄６１３、資産保全者欄６１４、記録者欄６１５、コントロール者欄６１６を有している。サブプロセス欄６１１に格納されるサブプロセスは、業務記述書表３１０のサブプロセス欄３１１に格納されるサブプロセスと同様のものであり、職務分離表６１０を業務記述書表３１０と関連付けるものである。同様に、業務ステップ欄６１２に格納される業務ステップは、業務記述書表３１０の業務ステップ欄３１３に格納される業務ステップと同様のものであり、職務分離表６１０を業務記述書表３１０と関連付けるものである。つまり、職務分離表におけるサブプロセス、業務ステップは、業務記述書におけるサブプロセス、業務ステップを展開したものであり、両者間に齟齬は生じなくなる。
また、承認者欄６１３からコントロール者欄６１６には、それぞれ承認、資産保全、記録、コントロールの各担当者の名前または識別子等が格納される。
【００４５】
フロー表４１０は、図１のフロー図データ４１に該当する。フロー表４１０に基づいて、フロー図が作成される。フロー表４１０は、シンボル名欄４１１、シンボルタイプ欄４１２、位置縦欄４１３、位置横欄４１４、活動ＩＤ欄４１５を有している。活動ＩＤ欄４１５に格納される活動ＩＤは、活動表１１０の活動ＩＤ欄１１１に格納される活動ＩＤと同様のものであり、フロー表４１０を活動表１１０と関連付けるものである。
シンボル名欄４１１に格納されるシンボル名は、フロー図に用いられているシンボルの名称である。
シンボルタイプ欄４１２に格納されるシンボルタイプは、シンボルによって表される種別（例えば、判断、処理、入力、出力等）である。
位置縦欄４１３、位置横欄４１４に格納される位置縦、位置横は、フロー図内における位置を特定するものである。
【００４６】
ＲＣＭ５１０、リスク表５２０、コントロール表５３０は、図１のＲＣＭデータ５１に該当する。ＲＣＭ５１０、リスク表５２０、コントロール表５３０に基づいて、ＲＣＭが作成される。ＲＣＭ５１０は、リスクＩＤ欄５１１、コントロールＩＤ欄５１２を有している。リスク表５２０は、リスクＩＤ欄５２１、リスク名欄５２２、リスク内容欄５２３、活動ＩＤ欄５２４を有している。コントロール表５３０は、コントロールＩＤ欄５３１、コントロール名欄５３２、コントロール内容欄５３３、活動ＩＤ欄５３４を有している。
【００４７】
リスク表５２０の活動ＩＤ欄５２４に格納される活動ＩＤは、活動表１１０の活動ＩＤ欄１１１に格納される活動ＩＤと同様のものであり、リスク表５２０を活動表１１０と関連付けるものである。コントロール表５３０の活動ＩＤ欄５３４に格納される活動ＩＤは、活動表１１０の活動ＩＤ欄１１１に格納される活動ＩＤと同様のものであり、コントロール表５３０を活動表１１０と関連付けるものである。
ＲＣＭ５１０のリスクＩＤ欄５１１に格納されるリスクＩＤは、リスクを一意に識別するための識別子である。ＲＣＭ５１０のコントロールＩＤ欄５１２に格納されるコントロールＩＤは、コントロールを一意に識別するための識別子である。
【００４８】
そして、リスク表５２０のリスクＩＤ欄５２１に格納されるリスクＩＤは、ＲＣＭ５１０のリスクＩＤ欄５１１に格納されるリスクＩＤと同様のものであり、リスク表５２０をＲＣＭ５１０と関連付けるものである。同様に、コントロール表５３０のコントロールＩＤ欄５３１に格納されるコントロールＩＤは、ＲＣＭ５１０のコントロールＩＤ欄５１２に格納されるコントロールＩＤと同様のものであり、コントロール表５３０をＲＣＭ５１０と関連付けるものである。
リスク名欄５２２に格納されるリスク名は、リスクに対して付けられた名称である。
リスク内容欄５２３に格納されるリスク内容は、そのリスクについての内容を説明したものである。
コントロール名欄５３２に格納されるコントロール名は、コントロールに対して付けられた名称である。
コントロール内容欄５３３に格納されるコントロール内容は、そのコントロールについての内容を説明したものである。
【００４９】
図４を用いて、表示する入力画面間の関連例を説明する。
図４は、メイン画面２２１、業務記述書入力画面３２０、活動内容入力画面１２０、知識・情報属性入力画面１８０、資源属性入力画面１５０、フロー図画面４２０間の関係を示している。なお、ＲＣＭにおけるリスクとコントロールの入力画面は、フロー図画面４２０内のシンボルに対応付けて表示し、職務分離表における担当者等の入力画面は、業務記述書入力画面３２０に対応付けて表示する。これらの画面は、クライアント２２０の表示装置に表示する。
【００５０】
メイン画面２２１から、操作者の操作が業務記述書作成２５１または活動情報参照読込み２５２を指定しているならば業務記述書入力画面３２０を表示し、操作者の操作がフロー図作成２５３を指定しているならばフロー図画面４２０を表示する。
業務記述書入力画面３２０から、操作者の操作が活動登録２５７を指定しているならば活動内容入力画面１２０を表示する。業務記述書入力画面３２０については、図５を用いて詳述する。
フロー図画面４２０から、操作者の操作が活動入力２６０を指定しているならば活動内容入力画面１２０を表示し、操作者の操作が知識・情報入力２６１を指定しているならば知識・情報属性入力画面１８０を表示し、操作者の操作が資源入力２６２を指定しているならば資源属性入力画面１５０を表示する。
【００５１】
活動内容入力画面１２０から、操作者の操作が基本情報反映２５４を指定しているならばメイン画面２２１を表示し、操作者の操作が知識・情報入力２５８を指定しているならば知識・情報属性入力画面１８０を表示し、操作者の操作が資源入力２５９を指定しているならば資源属性入力画面１５０を表示する。活動内容入力画面１２０については、図６を用いて詳述する。
知識・情報属性入力画面１８０から、操作者の操作が基本情報反映２５５を指定しているならばメイン画面２２１を表示する。知識・情報属性入力画面１８０については、図８を用いて詳述する。
資源属性入力画面１５０から、操作者の操作が基本情報反映２５６を指定しているならばメイン画面２２１を表示する。資源属性入力画面１５０については、図７を用いて詳述する。
【００５２】
図５を用いて、業務記述書入力画面３２０の内容を説明する。業務記述書入力モジュール３２が、業務記述書データ３１（業務記述書表３１０）を用いて、業務記述書入力画面３２０を表示し、操作者の操作によって業務記述書入力画面３２０内に入力されたものを業務記述書データ３１（業務記述書表３１０）に入力する。
業務記述書入力画面３２０は、主に業務記述書を作成するためのものであり、操作者の操作に応じて、階層（段組）を作成し、各段落名の入力、および活動の関連付けを行う。
業務記述書入力画面３２０の左側にはプロセス階層欄３２０１を表示し、右側には段落欄３２０２、活動内容欄３２０５を表示する。
プロセス階層欄３２０１には、業務記述書の段落関係を示す。段落は、業務と同様に、５階層に統一している。１つの段落が選択されると、その段落に対応する内容を右側の段落欄３２０２、活動内容欄３２０５に表示する。図５は、「業務ステップ４．２．１．１」が選択された場合の状態を表している。
段落欄３２０２には、段落番号項目３２０３、段落名項目３２０４を表示し、操作者による入力を促す。段落番号項目３２０３には、プロセス階層欄３２０１で選択された段落の段落番号を階層的に表す数字を表示する。段落名項目３２０４には、段落番号項目３２０３に対応する段落の名称を表示する。
活動内容欄３２０５には、活動名項目３２０６、活動内容項目３２０７、職務分離表対象活動項目３２０８、割付ボタン３２０９、割付解除ボタン３２１０、内容編集ボタン３２１１、新規作成ボタン３２１２を表示し、操作者による入力を促す。操作者によって職務分離表対象活動項目３２０８が選択されると、職務分離表との対応付けを行う。
割付ボタン３２０９が選択されると、プロセス階層欄３２０１にて指定された業務に対応する活動を一覧として表示する。つまり、業務記述書表３１０内の活動ＩＤ欄３１６より対応する活動表１１０の活動ＩＤを探索して、該当する活動名の一覧を表示する。
割付解除ボタン３２１０が選択されると、現在指定（関連付け）されている活動の関連付けを解除する。
内容編集ボタン３２１１が選択されると、現在指定（関連付け）されている活動の内容を編集できるように、該当する活動内容入力画面１２０を表示する。つまり、活動入力モジュール１２を起動する。
新規作成ボタン３２１２が選択されると、新規の活動内容入力画面１２０を表示する。つまり、活動入力モジュール１２を起動する。
【００５３】
図６を用いて、活動内容入力画面１２０の内容を説明する。活動入力モジュール１２が、活動データ１１（活動表１１０）を用いて、活動内容入力画面１２０を表示し、操作者の操作によって活動内容入力画面１２０内に入力されたものを活動データ１１（活動表１１０）に入力する。活動内容入力画面１２０には、名称項目１２０１から知識・情報タブ１２１１を表示する。
【００５４】
名称項目１２０１は、活動の名称を設定するためのものである。
活動タイプ項目１２０２は、人的作業、システム処理またはそれ以外のいずれかをリストから選択して入力するためのものである。
システム名項目１２０３は、活動のシステム名に該当するシステムを一覧から選択して入力するためのものである。
業務区分項目１２０４は、経営、非経営または見積のいずれかをリストから選択して入力するためのものである。
活動分類項目１２０５は、予め定められた活動分類のリストから選択して入力するためのものである。
【００５５】
担当組織項目１２０６は、予め定められた組織のリストから、本活動を担当する組織を選択して入力するためのものである。
担当者項目１２０７は、本活動を担当する担当者（役職、役割、職掌等）を入力するためのものである。
実務内容項目１２０８は、実務内容（活動内容）を入力するためのものである。
職務分離対象活動項目１２０９は、職務分離表で職務分離単位となる活動の場合にチェックするためのものである。活動関連情報となる。
ＩＴ資源タブ１２１０が選択されることにより、活動に関わる資源情報の登録を促す。
知識・情報タブ１２１１が選択されることにより、活動に関わる知識・情報の登録を促す。
【００５６】
図７を用いて、資源属性入力画面１５０の内容を説明する。資源入力モジュール１５が、資源データ１４（ＩＴ資源表１４０）を用いて、資源属性入力画面１５０を表示し、操作者の操作によって資源属性入力画面１５０内に入力されたものを資源データ１４（ＩＴ資源表１４０）に入力する。資源属性入力画面１５０には、名称項目１５０１から内容項目１５０７を表示する。
【００５７】
名称項目１５０１は、資源の名称を設定するためのものである。
略称項目１５０２は、資源の名称の略称を入力するためのものである。
管理部門項目１５０３は、予め定められた組織のリストから、本資源を管理する部門を選択して入力するためのものである。
資源タイプ項目１５０４は、マスタ、システムデータ、画面またはシステムのいずれかをリストから選択して入力するためのものである。
システム名項目１５０５は、ＩＴ資源に該当するシステムを予め定めた一覧から参照して入力するためのものである。
資源分類項目１５０６は、予め定めた資源分類に関するリストから選択して入力するためのものである。
内容項目１５０７は、ＩＴ資源に関する備考を入力するためのものである。
【００５８】
図８を用いて、知識・情報属性入力画面１８０の内容を説明する。知識・情報入力モジュール１８が、知識・情報データ１７（知識情報表１７０）を用いて、知識・情報属性入力画面１８０を表示し、操作者の操作によって知識・情報属性入力画面１８０内に入力されたものを知識・情報データ１７（知識情報表１７０）に入力する。知識・情報属性入力画面１８０には、名称項目１８０１から内容項目１８１０を表示する。
【００５９】
名称項目１８０１は、知識・情報の名称を入力するためのものである。
管理部門項目１８０２は、予め定められた組織のリストから、本知識・情報を管理する部門を選択して入力するためのものである。
文書項目１８０３は、文書管理（リポジトリ２４２によって管理）すべき文書を選択して入力するためのものである。
ファイル名項目１８０４は、文書項目１８０３によって選択された文書のファイル名を入力するためのものである。
データタイプ項目１８０５は、予め定めたデータタイプのリストから選択して入力するためのものである。
【００６０】
文書番号項目１８０６は、任意に管理する文書番号を入力するためのものである。
知識・情報種別項目１８０７は、知識・情報の種別を予め定めたリストから選択して入力するためのものである。
監査対象フラグ項目１８０８は、本知識・情報が監査対象物となる場合にチェックされるものである。
知識・情報分類項目１８０９は、知識・情報の分類を予め定めたリストから選択して入力するためのものである。
内容項目１８１０は、知識・情報に関する内容を入力するためのものである。
【００６１】
図９を用いて、内部統制用の文書作成処理例を説明する。
ステップＳ９０１、ステップＳ９０２は、業務記述書入力モジュール３２または活動入力モジュール１２による処理である。
ステップＳ９０１では、操作者によって、まずはサブステップの入力が行われる。
ステップＳ９０２では、操作者によって、業務記述書でまずはおおまかな「活動」の入力が行われる。例えば、活動タイプ欄１１３、業務区分欄１１５、活動区分欄１１６、担当組織欄１１７などに格納される属性と実務内容欄１１９に格納される実務内容等が記述される。
ステップＳ９０３、ステップＳ９０４は、フロー図入力モジュール４２による処理である。
ステップＳ９０３では、操作者の操作によって、フロー図に活動シンボルが配置され、その活動シンボルと活動とが関連付けられる。フロー図入力モジュール４２は、活動シンボルの選択肢を、活動ＤＢ２３８等の情報部品共有プールよりユーザに提示する。
ステップＳ９０４では、操作者によって、フロー図（主にシンボル間の繋がり）が描かれる。
ここまでで、まずは操作者によって業務フローの概要が記述される。
【００６２】
ステップＳ９０５では、操作者によって、業務記述書に戻り、活動を詳細化する作業が行われる。章立てと活動との関連付けが行われる。業務記述書入力モジュール３２は業務プロセスの階層化の標準化をサポートする。つまり、推奨すべき業務プロセスの名称、粒度等を表示し、選択できるようにする。これは、業務記述書入力モジュール３２または活動入力モジュール１２による処理である。
ステップＳ９０６では、ステップＳ９０５で入力された活動に関連付けられる資源、知識情報が入力される。これは、資源入力モジュール１５または知識・情報入力モジュール１８による処理である。
ステップＳ９０７では、詳細化された業務記述書に合わせ、フロー図に活動シンボル、資源シンボル、知識・情報シンボルが追加される。合わせて、シンボルと活動の関連付け、フローも追加する。その際に、フロー図入力モジュール４２が、活動の選択肢を提示する。これは、フロー図入力モジュール４２による処理である。
ステップＳ９０８では、ステップＳ９０５からステップＳ９０７までを繰り返し実行し、業務フロー記述が十分に詳細化される。
【００６３】
ステップＳ９０９では、操作者によって、ＲＣＭでのリスク、コントロールが入力される。これは、ＲＣＭ入力モジュール５２による処理である。
ステップＳ９１０では、フロー図で、リスクシンボル、コントロールシンボルが配置され、活動とリスクとの関連付け、活動とコントロールとの関連付けが行われる。その際に、ＲＣＭ入力モジュール５２は、リスク・コントロール・活動関連付けモジュール５３を用いて、リスク、コントロールの選択肢を提示する。
ステップＳ９１１では、操作者によって、ＲＣＭでリスクとコントロールとの対応づけが行われる。これは、フロー図入力モジュール４２による処理である。これは、ＲＣＭ入力モジュール５２、リスク・コントロール・活動関連付けモジュール５３による処理である。
なお、ステップＳ９０９とステップＳ９１０との処理の順番は、逆になっていてもよい。
【００６４】
基本４文書のアクセス制御について、以下、説明する。
内部統制用の文書が作成される際は、その文書の編集が可能である編集可能状態、その文書を登録している承認状態またはその文書が取り扱われなくなった廃止状態に応じて、アクセス権限を異ならせることもできる。以下、詳述する。
文書化プロセスに３つの状態（編集可能／承認／廃止）を持たせる。そのために、文書ごとに、現在どの文書化プロセスであるかを管理する。また、文書プロセス毎に前述の３状態のいずれかを対応付ける。
文書化プロセスを新規に作成した場合は、編集可能状態とし、操作者の権限に応じて４文書を作成／編集／削除／参照することができる。
ある特定の権限を持った操作者のみが、文書化プロセスを編集可能状態から承認状態にすることができ、この状態変更と同時に、作成した４文書をリポジトリ２４２を有している文書処理サーバー２３０に登録することができる。
【００６５】
その文書処理サーバー２３０に登録する際は、文書状態などの文書属性を設定する。また、アクセス権を設定して登録文書を参照可能な操作者を指定することができる。
文書処理サーバー２３０にすでに文書が登録されている場合は、リビジョンアップ（次版への版変更）して登録される。
作成した４文書は、文書化プロセスの状態遷移に関係なく、文書化プロセス単位または文書単位で文書処理サーバー２３０に登録することができる。
文書化プロセスが承認／廃止状態になると、すべての操作者が編集禁止、削除禁止となる。
文書化プロセスの状態を変更できるのは、ある特定の権限を持った操作者のみである。
【００６６】
なお、本実施の形態は、システム、資源、知識、リスク、コントロールなどの要素を活動を中心に分類整理できるよう、必要な情報の入力をユーザに促して、データベース化している。また、それらの要素間の関係性の入力には、フロー図、ＲＣＭをユーザインタフェースとして提供している。また、活動などの各情報を共有化して、別の文書化プロセスでも利用可能としている。この情報の部品化により文書レベルの標準化と、業務プロセスの標準化の支援をも行うことができる。
さらに、業務記述書の業務プロセスを表す階層を５階層レベルまで詳細化させている。この詳細化するレベルを５階層に標準化することでレベル合わせを行うことが可能となる。
業務記述書は業務プロセス構成要素ＤＢ１０から自動的に生成することが可能となる。同様に、職務分離表の業務ステップの一覧についても自動的に生成することが可能となる。
【００６７】
４文書を直接的に執筆するという作業ではなく、共有できる情報を部品化してデータベースで管理し（前述したデータ構造によって重複したデータを持たないので）、その共有部品的な情報をフォーマットに合わせて出力することによって、文書の形態で出力することが可能となる。また、付加的な特長として、監査法人や各企業の考え方で、ＲＣＭの形式は様々となることが多いが、部品的な情報を元に文書を出力するので対応が容易になる。
さらに、情報をデータベース化しているので、情報の部品化が促進され、それが文書化の標準化につながると同時に、業務分析が行え、似た業務プロセスを発見して標準化を進める手がかりにもなる。そして、文書間の齟齬が生じにくくなる。前述したように各要素は連携しているため、整合を保ったままの修正も容易である。その結果、文書の品質が高くなり、さらに後工程のテストフェーズにおける品質も高めることができる。これによって、財務内部統制の工数を少なく収めることができるようにもなる。また、以上のような情報のデータベース化によって、情報の修正が１箇所で済むため、内容修正のための修正作業が軽減され、修正漏れを防ぐことができるようにもなる。
また、前述したアクセス制御によって、文書化プロセスの状態（編集中／承認済み／廃棄など）によって、それぞれの文書へのアクセス制限を一元管理することができるようになる。
【００６８】
なお、本実施の形態としてのプログラムが実行されるコンピュータのハードウェア構成は、図１０に示すように、一般的なコンピュータであり、具体的にはクライアント２２０はパーソナルコンピュータ等であり、文書処理サーバー２３０はサーバーとなりうるコンピュータである。活動入力モジュール１２、資源入力モジュール１５、知識・情報入力モジュール１８、共有化モジュール２１等のモジュールのプログラムを実行するＣＰＵ９０１と、そのプログラムやデータを記憶するＲＡＭ９０２と、本コンピュータを起動するためのプログラム等が格納されているＲＯＭ９０３と、補助記憶装置であるＨＤ９０４と、キーボード、マウス等のデータを入力する入力装置９０６と、ＣＲＴや液晶ディスプレイ等の出力装置９０５と、通信ネットワークと接続するための通信回線インタフェース９０７、そして、それらをつないでデータのやりとりをするためのバス９０８により構成されている。これらのコンピュータが複数台互いにネットワークによって接続されていてもよい。
【００６９】
なお、図１０に示すハードウェア構成は、１つの構成例を示すものであり、本実施の形態は、図１０に示す構成に限らず、本実施の形態において説明したモジュールを実行可能な構成であればよい。例えば、一部のモジュールを専用のハードウェア（例えばＡＳＩＣ等）で構成してもよい。また、特に、パーソナルコンピュータの他、携帯電話、ゲーム機、カーナビ機、情報家電、複写機、ファックス、スキャナ、プリンタ、複合機（多機能複写機とも呼ばれ、スキャナ、プリンタ、複写機、ファックス等の機能を有している）などに組み込まれていてもよい。
【００７０】
なお、説明したプログラムについては、記録媒体に格納することも可能であり、また、そのプログラムを通信手段によって提供することもできる。その場合、例えば、上記説明したプログラムについて、「プログラムを記録したコンピュータ読み取り可能な記録媒体」の発明として捉えることもできる。
「プログラムを記録したコンピュータ読み取り可能な記録媒体」とは、プログラムのインストール、実行、プログラムの流通などのために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、光磁気ディスク（ＭＯ）、フレキシブルディスク（ＦＤ）、磁気テープ、ハードディスク、読出し専用メモリ（ＲＯＭ）、電気的消去および書換可能な読出し専用メモリ（ＥＥＰＲＯＭ）、フラッシュ・メモリ、ランダム・アクセス・メモリ（ＲＡＭ）等が含まれる。
そして、上記のプログラムまたはその一部は、上記記録媒体に記録して保存や流通等させることが可能である。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、あるいは無線通信ネットワーク、さらにはこれらの組合せ等の伝送媒体を用いて伝送することが可能であり、また、搬送波に乗せて搬送することも可能である。
さらに、上記のプログラムは、他のプログラムの一部分であってもよく、あるいは別個のプログラムと共に記録媒体に記録されていてもよい。
【図面の簡単な説明】
【００７１】
【図１】本実施の形態内のモジュールの構成例を示すブロック図である。
【図２】システム全体の構成例を示すブロック図である。
【図３】本実施の形態が取り扱うテーブル間の関連例についての説明図である。
【図４】本実施の形態が表示する入力画面間の関連例についての説明図である。
【図５】業務記述書入力用の画面例の説明図である。
【図６】活動内容入力用の画面例の説明図である。
【図７】資源属性入力用の画面例の説明図である。
【図８】知識・情報属性入力用の画面例の説明図である。
【図９】内部統制用の文書作成処理例のフローチャートである。
【図１０】本実施の形態を実現するコンピュータのハードウェア構成例を示すブロック図である。
【符号の説明】
【００７２】
１０…業務プロセス構成要素ＤＢ
１１…活動データ
１２…活動入力モジュール
１３…共有活動データ
１４…資源データ
１５…資源入力モジュール
１６…共有資源データ
１７…知識・情報データ
１８…知識・情報入力モジュール
１９…共有知識・情報データ
２１…共有化モジュール
３０…業務記述書
３１…業務記述書データ
３２…業務記述書入力モジュール
３３…章立て・活動関連付けモジュール
３４…業務記述書出力モジュール
４０…フロー図
４１…フロー図データ
４２…フロー図入力モジュール
４４…フロー図出力モジュール
５０…ＲＣＭ
５１…ＲＣＭデータ
５２…ＲＣＭ入力モジュール
５３…リスク・コントロール・活動関連Ａ
５４…ＲＣＭ出力モジュール
６０…職務分離表
６１…職務分離表データ
６２…職務分離表入力モジュール
６４…職務分離表出力モジュール
１１０…活動表
１４０…ＩＴ資源表
１７０…知識情報表
３１０…業務記述書表
４１０…フロー表
５１０…ＲＣＭ
５２０…リスク表
５３０…コントロール表
６１０…職務分離表
【図１】
2008052347.tif 000003
【図２】
2008052347.tif 000004
【図３】
2008052347.tif 000005
【図４】
2008052347.tif 000006
【図５】
2008052347.tif 000007
【図６】
2008052347.tif 000008
【図７】
2008052347.tif 000009
【図８】
2008052347.tif 000010
【図９】
2008052347.tif 000011
【図１０】
2008052347.tif 000012